(57)【要約】      （修正有）【課題】印刷された個人情報をより確実に判読困難とする個人情報印刷機を提供する。【解決手段】個人情報印刷機は、インクリボンを送り出す送出軸２と、インクリボンのインク層のインクを個人情報の文字列である第１パターンでカード基材に転写する第１の発熱体５を有する第１の熱源４と、カード基材を搬送するローラ６と、インクリボンのベースフィルムが外側に位置するよう、転写済のインクリボンを巻き取る巻取軸３と、巻取軸に巻き取られた転写済のインクリボンのうち最外層にある第ｎの転写済インクリボン（ｎ≧２の整数）のインク層のインクを、第１パターンとは異なる文字列である第２パターンで、第ｎの転写済インクリボンより内側に隣接する第ｎ−１の転写済インクリボンのベースフィルムに転写する第２の発熱体８ａを有する第２の熱源７ａと、を具備する。【選択図】図１
0003226357.tif 000002
【実用新案登録請求の範囲】
【請求項１】
ベースフィルムとインク層とを有するインクリボンを用いてカード基材に前記インク層のインクを転写する個人情報印刷機であって、
前記インクリボンを送り出す送出軸と、
前記送出軸の下流側に、前記インクリボンのベースフィルム側から退避可能に設けられる第１の熱源であって、前記インクリボンを加熱及び押圧することで、前記インクリボンのインク層のインクを個人情報の文字列である第１パターンで前記カード基材に転写する第１の発熱体を有する第１の熱源と、
前記第１の熱源と対向するとともに前記インクリボンのインク層側に設けられ、前記カード基材を搬送するローラと、
前記第１の熱源及び前記ローラの下流側に設けられ、ベースフィルムが外側に位置するよう、転写済の前記インクリボンを巻き取る巻取軸と、
前記巻取部に巻き取られた転写済の前記インクリボンのうち最外層にある第ｎの転写済インクリボン（ｎ≧２の整数）から退避可能に設けられる第２の熱源であって、前記第ｎの転写済インクリボンを加熱及び押圧することで、前記第ｎの転写済インクリボンのインク層のインクを、前記第１パターンとは異なる文字列である第２パターンで、前記第ｎの転写済インクリボンより内側に隣接する第ｎ−１の転写済インクリボンのベースフィルムに転写する第２の発熱体を有する第２の熱源と、を具備する個人情報印刷機。
【請求項２】
前記第２パターンは、
ランダムに生成される文字列である、
請求項１に記載の個人情報印刷機。
【請求項３】
前記第２パターンは、
数字文字群から構成される第１の領域と、数字群から構成される第２の領域と、を有し、
前記第２パターンがランダムに生成される際、
前記第１の領域には、数字文字群から構成される文字列がランダムに生成され、
前記第２の領域には、数字群から構成される文字列がランダムに生成される、
請求項２に記載の個人情報印刷機。
【請求項４】
前記第１パターンの文字毎に第２パターンの文字として割り当てる文字を予め設定した対応表を記憶する記憶部をさらに有し、
前記第２パターンがランダムに生成される際、前記対応表が参照され、
前記第１パターンの文字それぞれに割り当てられた文字が順に並べて生成される、
請求項２又は請求項３に記載の個人情報印刷機。
【請求項５】
さらに、前記第２の発熱体からの熱により、
最外層からｋ層目にある第ｎ＋１−ｋの転写済インクリボン（２≦ｋ＜ｎの整数）のうちの少なくとも１層の転写済インクリボンのインク層のインクが、前記第２パターンで、前記第ｎ＋１−ｋの転写済インクリボンより内側に隣接する第ｎ−ｋの転写済インクリボンのベースフィルムに転写される、
請求項１乃至請求項４の何れか１項に記載の個人情報印刷機。
【請求項６】
さらに、前記インクリボンが前記第１の発熱体と接する位置から転写済の前記インクリボンが前記第２の発熱体と接する位置までの転写済の前記インクリボンの長さが、前記第１の熱源による印刷ピッチの整数倍である、
請求項１乃至請求項５の何れか１項に記載の個人情報印刷機。
【請求項７】
さらに、前記巻取軸は、
前記送出軸にあるインクリボンの残量が所定値以下になったために前記第１パターンの転写を停止した後、前記インクリボンが前記第１の発熱体と接する位置から転写済の前記インクリボンが前記第２の発熱体と接する位置までの転写済の前記インクリボンの長さ分、転写済の前記インクリボンを巻き取る、
請求項１乃至請求項６の何れか１項に記載の個人情報印刷機。
【考案の詳細な説明】
【技術分野】
【０００１】
本考案は、個人情報印刷機に関する。
【背景技術】
【０００２】
近年、インクリボンを用いて、身分証明書等になるカード基材に氏名や識別番号の文字等の像を印刷する熱溶融型印刷方式による個人情報印刷機が普及している。インクリボンは、帯状に延びるベースフィルムと、ベースフィルム上に形成され、インクを含んだインク層と、を有する。所望の文字等の像に対応したパターンでインクがカード基材に転写されることで、個人情報の印刷が実行される。
【０００３】
このとき、インク転写済のインクリボンには、カード基材への転写によりインクが抜けた箇所であるインク抜け跡が、印刷された像に対応したパターンで存在する。このため、転写済インクリボンのインク抜け跡から、秘匿性を高く保つ必要のある個人情報である、身分証明書等に印刷された氏名や識別番号の文字等の像が特定可能となってしまっていた。
【０００４】
そこで、転写済インクリボンに対し、個人情報とは異なるパターンを転写させることで、転写済インクリボンのインク抜け跡を判読困難にする技術がある。
【０００５】
しかしながら、従来技術では、転写済インクリボンのインク抜け跡から、個人情報が一部判読できてしまう場合があった。
【先行技術文献】
【特許文献】
【０００６】
【特許文献１】特開２０１４−７６６１５号公報
【考案の概要】
【考案が解決しようとする課題】
【０００７】
そこで、本考案が解決しようとする課題は、転写済インクリボンのインク抜け跡から、印刷された個人情報をより確実に判読困難とする個人情報印刷機を提供することである。
【課題を解決するための手段】
【０００８】
上記課題を解決するために、実施形態の個人情報印刷機は、ベースフィルムとインク層とを有するインクリボンを用いてカード基材に前記インク層のインクを転写する個人情報印刷機であって、前記インクリボンを送り出す送出軸と、前記送出軸の下流側に、前記インクリボンのベースフィルム側から退避可能に設けられる第１の熱源であって、前記インクリボンを加熱及び押圧することで、前記インクリボンのインク層のインクを個人情報の文字列である第１パターンで前記カード基材に転写する第１の発熱体を有する第１の熱源と、前記第１の熱源と対向するとともに前記インクリボンのインク層側に設けられ、前記カード基材を搬送するローラと、前記第１の熱源及び前記ローラの下流側に設けられ、ベースフィルムが外側に位置するよう、転写済の前記インクリボンを巻き取る巻取軸と、前記巻取部に巻き取られた転写済の前記インクリボンのうち最外層にある第ｎの転写済インクリボン（ｎ≧２の整数）から退避可能に設けられる第２の熱源であって、前記第ｎの転写済インクリボンを加熱及び押圧することで、前記第ｎの転写済インクリボンのインク層のインクを、前記第１パターンとは異なる文字列である第２パターンで、前記第ｎの転写済インクリボンより内側に隣接する第ｎ−１の転写済インクリボンのベースフィルムに転写する第２の発熱体を有する第２の熱源と、を具備する。
【図面の簡単な説明】
【０００９】
【図１】第１の実施形態に係る個人情報印刷機の構成を示す模式図。
【図２】第１の実施形態に係る個人情報印刷機の第２の熱源近傍を拡大して示す図。
【図３】第１の実施形態に係る個人情報印刷機の電気的構成を示すブロック図。
【図４】第２の実施形態に係る個人情報印刷機の構成の模式図。
【図５】第２の実施形態に係る個人情報印刷機の文字列生成手段の一例を示す図。
【図６】（ａ）インクリボンのインクが転写されたカード基材、（ｂ）転写済のインクリボン、（ｃ１）第１の実施形態に係る個人情報印刷機により、インク抜け跡が秘匿処理された転写済のインクリボン、（ｃ２）第２の実施形態に係る個人情報印刷機により、インク抜け跡が秘匿処理された転写済のインクリボンを示す図。
【図７】第３の実施形態に係る個人情報印刷機のインクリボンのたるみ取り処理の一例を示すフローチャート。
【図８】（ａ）転写済のインクリボン、（ｂ１）インク抜け跡が秘匿処理されきれていない転写済のインクリボン、（ｂ２）第３の実施形態に係る個人情報印刷機により、インク抜け跡が秘匿処理された転写済のインクリボンを示す図。
【図９】第４の実施形態に係る個人情報印刷機のインクリボンの最終巻取処理の一例を示すフローチャート。
【考案を実施するための形態】
【００１０】
以下、実施形態に係る個人情報印刷機１を、図面を参照して説明する。
【００１１】
（第１の実施形態）
まず、図１及び図２を参照して、第１の実施形態に係る個人情報印刷機１の構成を説明する。図１は、第１の実施形態に係る個人情報印刷機１の構成を示す模式図である。図２は、第１の実施形態に係る個人情報印刷機１の第２の熱源７近傍を拡大して示す図である。
【００１２】
第１の実施形態に係る個人情報印刷機１は、例えば、個人情報や顔写真をカード基材２２に印刷した身分証明書を発行する身分証明書発行機の内部に設けられる装置である。
【００１３】
第１の実施形態に係る個人情報印刷機１には、インクリボン２１が設置され、カード基材２２が準備される。第１の実施形態に係る個人情報印刷機１は、軸回りに巻かれた状態で初めに設置されたインクリボン２１を、黒色矢印で示す方向に送り出す送出軸２と、送出軸２の下流側に配置され、カード基材２２に後述する第１パターンを印刷するための第１の熱源４及びローラ６と、第１の熱源４及びローラ６の下流側に配置され、インクリボン２１が軸回りに一周以上巻かれた状態で初めに設置され、送り出されたインクリボン２１を黒色矢印で示す方向に巻き取る巻取軸３と、巻取軸３の近傍に設けられ、転写済のインクリボン２１に後述する第２パターンを転写するための第２の熱源７ａと、これら各部を制御する制御部１０（図３に図示）と、を有する。なお、インクリボン２１は、複数のガイドローラ９に沿って搬送される。また、第１の熱源４は、第１の発熱体５を有し、第２の熱源７ａは、第２の発熱体８ａを有する。
【００１４】
図２の拡大図に示すように、インクリボン２１は、ベースフィルム２３とインク層２４とを有し、ベースフィルム２３に熱溶融性のインクが塗布されている帯状の中間転写体である。
【００１５】
送出軸２及び巻取軸３は、インクリボン２１が巻きつけられるロール状の回転軸である。主に巻取軸３を駆動し、黒色矢印で示す方向へ回転させることで、インクリボン２１を送出軸２から巻取軸３へ送る。送出軸２は、巻取軸３の駆動によるインクリボン２１の送り出しを停止する際に、慣性モーメントによる余分な送り出しを抑制するために、黒色矢印で示す方向とは逆方向へ微小時間回転させるように駆動する。これにより、リボンがたるむのを防止する。ガイドローラ９は、送出軸２と巻取軸３との間に複数個配置されているものであり、インクリボン２１の送り出しを補助するものである。
【００１６】
インクリボン２１は、初めに、オペレータやマシンにより、第１の実施形態に係る個人情報印刷機１内へ設置される。このときインクリボン２１は、インクリボン２１のインク層２４がベースフィルム２３よりも外側に位置するよう、インクリボン２１が送出軸２に何重か巻きつけられた状態である。また、インクリボン２１のベースフィルム２３がインク層２４よりも外側に位置するよう、インクリボン２１が巻取軸３に少なくとも一周分巻きつけられた状態である。また、複数のガイドローラ９に沿って、たるみの無い状態でピンと張られた状態である。
【００１７】
なお、インクリボン２１が沿うガイドローラ９の配置及び後述する第１の熱源４及びローラ６の配置によっては、インクリボン２１は、インクリボン２１のベースフィルム２３がインク層２４よりも外側に位置するよう、インクリボン２１が送出軸２に巻きつけられていてもよい。
【００１８】
カード基材２２は、インクリボン２１のインク層２４にあるインクが転写されることで、氏名や識別番号の文字等の像である個人情報の文字列である第１パターンが印刷される、被転写体である。第１パターンは、カード基材２２毎に固有の文字列となる。
【００１９】
カード基材２２は、オペレータやマシンにより身分証明書発行機へ挿入されるか、身分証明書発行機の内部にストックされる。このようにしてカード基材２２が準備されると、身分証明書発行機の内部にある個人情報印刷機１に向けて搬送可能な状態となる。
【００２０】
インクリボン２１が、複数のガイドローラ９に沿って送出軸２及び巻取軸３に設置され、また、カード基材２２が準備されると、第１の実施形態に係る個人情報印刷機１は、個人情報の印刷処理及び個人情報の秘匿処理を開始する。
【００２１】
まず、巻取軸３を回転させることで、インクリボン２１を黒色矢印で示す方向へ送り出す。同時に、カード基材２２を、個人情報印刷機１内の、第１の熱源４及びローラ６が設置されている印刷位置まで搬送する。
【００２２】
第１の熱源４は、第１の発熱体５を有し、第１の発熱体５を加熱することで、インクリボン２１のインク層２４にあるインクの一部を熱溶融させるものである。第１の熱源４は、例えば、可動式のサーマルヘッドである。第１の熱源４は、矢印Ｄ１で示す方向に退避可能に設けられている。第１の熱源４は、個人情報の印刷処理中はインクリボン２１に接してインクリボン２１を押圧する位置にあり、個人情報の印刷処理以外の間はインクリボン２１から離れた位置にある。
【００２３】
このように第１の熱源４が退避可能に設けられていることにより、巻取駆動が停止している間のように、第１の熱源４による加熱が不要な場合には、第１の熱源４を矢印Ｄ１で示す方向に退避させることで、印刷位置にあるインクリボン２１との接触を任意に中止することが可能となる。
【００２４】
ローラ６は、カード基材２２を支持及び搬送するものである。ローラ６は、回転自由に設けられている。カード基材２２は、ローラ６の矢印Ｒ１で示す方向への回転により、白色矢印で示す方向へ搬送される。
【００２５】
カード基材２２に印刷すべき個人情報の文字列（第１パターン）の情報は、印刷対象のカード基材１枚分である印刷枠毎に、身分証明書発行機の図示しない上位装置から、制御部１０へ送信される。
【００２６】
第１の熱源４及びローラ６は、インクリボン２１及びカード基材２２を、挟持する。カード基材２２は、挟持されながら白色矢印で示す方向へ搬送される。この間、第１の熱源４は、ローラ６の回転により搬送されるカード基材２２の搬送速度に合わせ、第１パターンに対応して、第１の発熱体５を加熱する。これによって、インクリボン２１のインク層２４にあるインクが、第１パターンで熱溶融し、カード基材２２に対して第１パターンで転写される。すなわち、カード基材２２上に、個人情報の印刷がされる（図６（ａ）参照）。
【００２７】
このとき同時に、カード基材２２への転写によりインクが抜けた箇所であるインク抜け跡が、第１パターンに対応した形状で、インクリボン２１のインク層２４に形成される（図６（ｂ）参照）。
【００２８】
以上により、個人情報の印刷処理が実行される。カード基材２２に個人情報の文字列である第１パターンの印刷がされることで、カード基材２２は、身分証明書等の所有者個人を識別できるものとなる。
【００２９】
この後、個人情報の印刷がされたカード基材２２は、身分証明書発行機の内部を搬送され、顔写真の印刷等その他の工程を経て、身分証明書発行機の外部へと排出される。
【００３０】
その一方で、第１の熱源４により、インク抜け跡が形成されて転写済のインクリボン２１となった転写済インクリボン２１は、次の印刷対象のカード基材１枚分である印刷枠について個人情報の印刷処理が行われるとともに順次送り出され、巻取軸３により巻き取られる。
【００３１】
ここで、図２に示すように、第１の実施形態において、巻取軸３に巻き取られている転写済インクリボン２１のうち最外層に位置する転写済インクリボン２１を第ｎの転写済インクリボン２１（ｎ≧２の整数）と称し、第ｎの転写済インクリボン２１よりも内側で巻取軸３に巻き取られ、第ｎの転写済インクリボン２１と隣接している転写済インクリボン２１を、第ｎ−１の転写済インクリボン２１と称することとする。
【００３２】
同様にして、第ｎ−１の転写済インクリボン２１よりも内側で巻取軸３に巻き取られ、第ｎ−１の転写済インクリボン２１と隣接している転写済インクリボン２１を、第ｎ−２の転写済インクリボン２１と称することとする。
【００３３】
すなわち、最外層からｋ層目の転写済インクリボン２１（１≦ｋ≦ｎの整数）を、第ｎ＋１−ｋの転写済インクリボン２１と称する。
【００３４】
第２の熱源７ａは、第２の発熱体８ａを有し、第２の発熱体８ａを加熱することで、転写済インクリボン２１のインク層２４に残留しているインクの一部を熱溶融させるものである。第１の実施形態に係る個人情報印刷機１において、第２の熱源７ａはローラ形状であり、ローラ外周に配置された突起部である第２の発熱体８ａからなるヒータローラである。
【００３５】
第２の熱源７ａは、回転可能に設けられており、例えば矢印Ｒ２で示す方向に第２の熱源７ａを回転させることで、ヒータローラ外周にある第２の発熱体８ａが、巻取軸３の最外層にある第ｎの転写済インクリボン２１と順に接し、インクを溶融させる。
【００３６】
第２の熱源７ａは、所定の文字等の像である秘匿情報の文字列である第２パターンが、ヒータローラ外周に配置された第２の発熱体８ａによって構成されている。
【００３７】
第２の熱源７ａを、第ｎの転写済インクリボン２１へ押圧しながら、例えば矢印Ｒ２で示す方向に一周回転させると、加熱された第２の発熱体８ａにより、第ｎの転写済インクリボン２１のインク層２４ｎに残留しているインクの一部が溶融し、第ｎ−１の転写済インクリボン２１のベースフィルム２３ｎ−１に対して第２パターンが転写される。
【００３８】
このとき、第ｎの転写済インクリボン２１のインク層２４ｎに、第１パターンに対応したインク抜け跡と重なった状態で、第２パターンに対応したインク抜け跡が形成される（図６（ｃ１）参照）。
【００３９】
第２パターンは、第１の熱源４における第１パターンとは異なるよう設定されている。ここでは、第２パターンは、予め好適に設定された文字列である。第ｎの転写済インクリボン２１のインク層２４ｎに、第２パターンに対応したインク抜け跡を形成することによって、第ｎの転写済インクリボン２１のインク層２４ｎにすでに形成されていた個人情報である第１パターンに対応したインク抜け跡を、判読困難に乱すことができる。
【００４０】
以上により、個人情報の秘匿処理が実行される。個人情報の秘匿処理により、転写済インクリボン２１のインク抜け跡の形状から、カード基材２２に印刷された個人情報が特定されることを防ぐことができる。
【００４１】
なお、巻取軸３においては、巻き取りが進むにつれて、巻取軸３により巻き取られる転写済インクリボン２１により構成されるロール体の外径が増加していく。このようなロール体の外径の増加に対応するため、第２の熱源７ａは、ロール体の半径方向（矢印Ｄ２で示す方向及びその逆方向）に移動可能に設けられている。これによって、第２の熱源７ａは、個人情報の秘匿処理中は、巻取軸３に巻き取られた転写済インクリボン２１のうち最外層にある第ｎの転写済インクリボン２１に接するように、位置が調整される。
【００４２】
さらに、第２の熱源７ａは、矢印Ｄ２で示す方向に退避可能に設けられている。第２の熱源７ａは、個人情報の秘匿処理中は転写済インクリボン２１に接してインクリボン２１を押圧する位置にあり、個人情報の秘匿処理以外の間は転写済インクリボン２１から離れた位置にある。
【００４３】
このように第２の熱源７ａが退避可能に設けられていることにより、巻取駆動が停止している間のように、第２の熱源７ａによる加熱が不要な場合には、第２の熱源７ａを矢印Ｄ２で示す方向に退避させることで、巻取軸３に巻き取られている転写済インクリボン２１との接触を任意に中止することが可能となる。
【００４４】
なお、第２の発熱体８ａの温度は、第ｎの転写済インクリボン２１のインク層２４のインクｎが全域にわたって溶融され、これによって第ｎの転写済インクリボン２１と第ｎ−１の転写済インクリボン２１とが接着されるという現象が生じない程度に、低く設定されている。
【００４５】
ここで、図３を参照して、第１の実施形態に係る個人情報印刷機１の電気的構成を説明する。図３は、第１の実施形態に係る個人情報印刷機１の電気的構成を示すブロック図である。
【００４６】
第１の実施形態に係る個人情報印刷機１の制御部１０は、インクリボン巻取制御部１１と、カード基材搬送制御部１２と、第１パターン転写制御部１３と、第２パターン転写制御部１４と、インターフェース部１５と、を有する。インクリボン巻取制御部１１には、巻取軸３及び送出軸２が接続されている。カード基材搬送制御部１２には、ローラ６が接続されている。第１パターン転写制御部１３には、第１の熱源４及び第１の発熱体５が接続されている。第２パターン転写制御部１４には、第２の熱源７及び第２の発熱体８が接続されている。また、これら制御部１０は、インターフェース部１５を介して、図示しない上位装置に接続されている。
【００４７】
インクリボン巻取制御部１１は、巻取軸３を回転させることで、インクリボン２１を黒色矢印で示す方向へ送り出す。また、インクリボン巻取制御部１１は、巻取軸３の回転を停止する際等に、送出軸２を回転させる。
【００４８】
なお、後述するように、インクリボン２１にたるみが生じた場合のインクリボン２１のたるみ取り処理や、インクリボン２１の残量が所定値以下になった場合のインクリボン２１の最終巻取処理の場合に、インクリボン２１のたるみ量や残量を検知した値が入力される（図示せず）場合がある。
【００４９】
カード基材搬送制御部１２は、ローラ６を回転させることで、カード基材２２を図１中の白色矢印で示す方向へ搬送する。
【００５０】
第１パターン転写制御部１３は、第１の熱源４の退避制御及び第１の発熱体５の加熱制御と、を行う。これらの制御は、図示しない上位装置からインターフェース部１５を介して受信した第１パターンの情報に基づいて行われる。
【００５１】
第２パターン転写制御部１４は、第２の熱源７ａの退避制御及びロール体の外径方向の位置制御と、第２の発熱体８ａの加熱制御と、を行う。
【００５２】
以上の構成により、カード基材２２への個人情報の印刷処理及び転写済インクリボン２１への個人情報の秘匿処理が終了する。身分証明書発行機の内部では、一定の間隔を置きながらカード基材２２が１枚ずつ繰り出され、上記処理が連続して行われる。
【００５３】
第１の実施形態に係る個人情報印刷機１によれば、転写済インクリボン２１のインク層２４に残留しているインクの一部を、さらに、第１パターンとは異なる文字列からなる第２パターンで溶融させることで、転写済インクリボン２１のインク抜け跡が、第１パターンと第２パターンとが重なった迷彩模様の形状となる。よって、第三者が転写済インクリボン２１を入手したとしても、第１パターンと第２パターンとが重なった迷彩模様のインク抜け跡からは、個人情報である第１パターンを判読することが困難となる。
【００５４】
（第２の実施形態）
次に、図４を参照して、第２の実施形態に係る個人情報印刷機１の構成を説明する。図４は、第２の実施形態に係る個人情報印刷機１の構成を示す模式図である。第２の実施形態に係る個人情報印刷機１は、第２の熱源７ｂが、ヒータローラではなく可動式のサーマルヘッドであり、転写の都度、異なる第２パターンを転写することができる。
【００５５】
第２の実施形態に係る個人情報印刷機１は、送出軸２と、第１の熱源４と、第１の発熱体５と、ローラ６と、巻取軸３と、第２の熱源７ｂと、第２の発熱体８ｂと、複数のガイドローラ９と、制御部１０（図３に図示）と、を有する。第２の実施形態に係る個人情報印刷機１には、インクリボン２１が設置され、カード基材２２が準備される。
【００５６】
第２の熱源７ｂ及び第２の発熱体８ｂ以外は、第１の実施形態に係る個人情報印刷機１と同様の構成であるため、説明を省略する。
【００５７】
第２の実施形態に係る個人情報印刷機１において、第２の熱源７ｂは、例えば、第２の発熱体８ｂを有する可動式のサーマルヘッドである。第２の発熱体８ｂを加熱することで、転写済インクリボン２１のインク層２４に残留しているインクの一部を熱溶融させる。
【００５８】
第２の熱源７ｂであるサーマルヘッドは、第２の発熱体８ｂが、巻取軸３の最外層にある第ｎの転写済インクリボン２１と接し、インクを溶融させるよう、制御される。
【００５９】
なお、第２の熱源７ａと同様にして、巻取軸３に巻き取られた転写済インクリボン２１のうち最外層にある第ｎの転写済インクリボン２１に第２の熱源７ｂが接するように位置調整するため、第２の熱源７ｂは、ロール体の半径方向（矢印Ｄ２で示す方向及びその逆方向）に移動可能に設けられている。
【００６０】
また、第２の熱源７ａと同様にして、第２の熱源７ｂによる加熱が不要な場合に、巻取軸３に巻き取られている転写済インクリボン２１との接触を任意に中止することができるようにするため、第２の熱源７ｂは、矢印Ｄ２で示す方向に退避可能に設けられている。
【００６１】
第２の熱源７ｂ及び第２の発熱体８ｂの制御により、第ｎの転写済インクリボン２１のインク層２４のインクｎの一部が溶融し、第ｎ−１の転写済インクリボン２１のベースフィルム２３ｎー１に対して第２パターンが転写される。
【００６２】
このとき、第ｎの転写済インクリボン２１のインク層２４ｎに、第１パターンに対応したインク抜け跡と重なった状態で、第２パターンに対応したインク抜け跡が形成される（図６（ｃ２）参照）。
【００６３】
第２パターンは、第１の熱源４における第１パターンとは異なるよう設定されている。ここで、第２パターンは、ランダムに生成される文字列である。第ｎの転写済インクリボン２１のインク層２４ｎに、第２パターンに対応したインク抜け跡を形成することによって、第ｎの転写済インクリボン２１のインク層２４ｎにすでに形成されていた個人情報である第１パターンに対応したインク抜け跡を、判読困難に乱すことができる。
【００６４】
ここで、ランダムに生成される文字列である第２パターンについて、図３及び図４を参照して説明する。
【００６５】
図３で示した第２パターン転写制御部１４は、第２の熱源７ｂの退避制御と、ロール体の外径方向の位置制御と、第２の発熱体８ｂの加熱制御と、を行う。これらの制御は、図示しない上位装置からインターフェース部１５を介して受信した第１パターンの情報に基づいて行われる。
【００６６】
又は、文字列の生成が、第２パターン転写制御部１４ではなく図示しない上位装置において実行される場合は、これらの制御は、図示しない上位装置からインターフェース部１５を介して受信した、上位装置で生成された第２パターンの情報に基づき、行われる。
【００６７】
図３において、例えば、第２パターン転写制御部１４が、文字列をランダムに生成する場合について説明する。この場合、第２パターン転写制御部１４は、生成したランダムな文字列である第２パターンの情報を、第２の熱源７ｂへ送信する。第２の実施形態における個人情報印刷機１においては、第２パターンを、カード基材１枚分の印刷枠と対応した、転写済インクリボン２１上の転写枠毎に生成することができる。なお、第２パターンの生成頻度は、カード基材複数枚分である複数の転写枠毎等であってもよい。
【００６８】
続いて、第２の熱源７ｂの第２の発熱体８ｂは、生成されたランダムな文字列（パターン２）で、第ｎの転写済インクリボン２１をベースフィルム２３ｎ側から加熱及び押圧する。これによって、第ｎの転写済インクリボン２１のインク層２４ｎに残留しているインクの一部が、第ｎ−１の転写済インクリボン２１のベースフィルム２３ｎー１上に転写される。
【００６９】
なお、加熱された第２の熱源７ｂにより印加される熱エネルギーは、何層にも巻き返されている転写済インクリボン２１の最外層（第ｎの転写済インクリボン２１）だけでなく、その内側の層（第ｎ−１の転写済インクリボン２１、第ｎ−２の転写済インクリボン２１、…）まで到達する場合もある。このとき、印加された熱エネルギーは、ある程度内層で巻きつけられている転写済インクリボン２１の部位までも作用させることができる。
【００７０】
すなわち、第ｎの転写済インクリボン２１のインク層２４ｎに残留しているインクの一部が、例えば時刻Ｔｂのとき生成された第２パターンで第ｎ−１の転写済インクリボン２１のベースフィルム２３ｎー１上に転写されるだけでなく、このとき同時に、第ｎ−１の転写済インクリボン２１のインク層２４ｎ−１に残留しているインクの一部が、時刻Ｔｂのとき生成された第２パターンで第ｎ−２の転写済インクリボン２１のベースフィルム２３ｎー２上にも転写される。なお、第ｎ−１の転写済インクリボン２１のインク層２４ｎ−１に残留しているインクの一部は、転写済インクリボン２１ｎ−１がこのとき以前に巻取軸３を一周する前に、例えば時刻Ｔａのとき生成された第２パターンで第ｎ−２の転写済インクリボン２１のベースフィルム２３ｎー２上にすでに転写がされている。印加される熱エネルギー量の調整によっては、さらに内層の転写済インクリボン２１においても、同様の転写が行われる。
【００７１】
すなわち、第２パターン転写制御部１４の加熱制御（温度調整）により、一度の加熱及び押圧だけで、最外層からｋ層目の転写済インクリボン２１である第ｎ＋１−ｋの転写済インクリボン２１（ここでは、２≦ｋ＜ｎの整数）のうち少なくとも１層の転写済インクリボン２１のインク層２４ｎ＋１−ｋのインクを、第２パターンで、第ｎ＋１−ｋの転写済インクリボン２１よりも内側に位置する第ｎ−ｋの転写済インクリボン２１のベースフィルム２３ｎーｋにも転写する場合がある。
【００７２】
第２の発熱体７ｂからの熱により、転写済インクリボン２１は、実質的に、複数回、時刻Ｔａのとき生成された第２パターンと、時刻Ｔｂのとき生成された第２パターンと、というようにその都度異なる第２パターンが転写済インクリボン２１上の同じ箇所（カード基材１枚分の印刷枠と対応した、転写済インクリボン２１上の転写枠）に転写されるのと同じ効果を得て、転写済インクリボン２１のインク抜け跡は、さらに複数種の文字が重なった迷彩模様の形状となる。よって、転写済インクリボン２１から個人情報である第１パターンを判読することが、より一層困難となる。
【００７３】
なお、第１の実施形態に係る個人情報印刷機１においては、毎回同じ第２パターンが転写されるが、巻取軸３に巻き取られる転写済インクリボン２１により構成されるロール体の外径の増加に伴い、第２パターンが転写される位置が、カード基材１枚分の印刷枠と対応した、最外層よりも内側にある各層の転写済インクリボン２１上の転写枠に対して少しずつずれていく。このずれに伴い、最外層よりも内側にある層の転写済インクリボン２１のインク抜け跡の形状が、複数種の文字が重なった迷彩模様の形状となる場合がある。この場合も、転写済インクリボン２１から個人情報である第１パターンを判読することが、より一層困難となる。
【００７４】
ここで、図５を参照して、第２の実施形態に係る個人情報印刷機１の文字列生成手段について説明する。図５は、第２の実施形態に係る個人情報印刷機１の文字列生成手段の一例を示す図である。
【００７５】
ランダムに生成された文字列である第２パターンを生成する文字列生成手段の例を、以下に示す。
【００７６】
（例１）
第２パターンを生成する文字列生成手段として、第２パターン転写制御部１４に、図５に示すような対応表を予め記憶している記憶部（図示せず）がある場合がある。この対応表は、第１パターンの被重畳文字Ｘと、第２パターンの重畳文字Ｙと、を予め割り当てた表となっている。第２パターンの重畳文字Ｙは、第２パターンの重畳文字Ｙのインク抜け跡を、第１パターンの被重畳文字Ｘのインク抜け跡に重ねることで、被重畳文字Ｘを特定しにくくする文字である。
【００７７】
被重畳文字Ｘと重畳文字Ｙとを、文字の外周形状が類似した文字同士としたり、重畳文字Ｙに、画数の多い漢字をランダムに割り当てたりすることができる。図５に示す例では、平仮名の被重畳文字Ｘには平仮名の重畳文字Ｙを、漢字の被重畳文字Ｘには漢字の重畳文字Ｙを、アルファベットの被重畳文字Ｘにはアルファベットの重畳文字Ｙを、アラビア数字の被重畳文字Ｘにはアラビア数字の重畳文字Ｙを、というように、被重畳文字Ｘの種類毎に同じ種類に属する重畳文字Ｙを割り当てている。なお、文字の種類を分類することなく、完全にランダムに重畳文字Ｙを被重畳文字Ｘに割り当てることもできる。
【００７８】
この例では、インク抜け跡として、被重畳文字Ｘ「田」には重畳文字Ｙ「国」を重ね、被重畳文字Ｘ「中」には重畳文字Ｙ「薇」を重ね、被重畳文字Ｘ「あ」には重畳文字Ｙ「お」を重ね、被重畳文字Ｘ「い」には重畳文字Ｙ「は」を重ねる、ということが図５に示すこの対応表で予め設定されている。この対応表から、例えば、第１パターンの文字列の中に「田中  あい」という文字列が含まれていた場合、「国薇  おは」という文字列を含む第２パターンが生成される。
【００７９】
第２パターン転写制御部１４には、上位装置からインターフェース部１５を介して第１パターンの情報が送信される。第２パターン転写制御部１４は、送信された第１パターンの情報から、記憶部に記憶されている対応表を参照する。第２パターン転写制御部１４は、第１パターンの被重畳文字Ｘ毎に、対応する重畳文字Ｙを順に並べて、第２パターンを生成する。第２パターン転写制御部１４は、この重畳文字Ｙを並べた文字列を、第２パターンの情報として、第２の熱源７ｂに送信する。
【００８０】
なお、ここでいう「文字」は、「〒」や「―」等の記号を含んでいてもよい。また、第１パターンの中に含まれる「スペース」と対応する重畳文字Ｙを設定しておいても良い。
【００８１】
なお、この例に限らず、第１パターンの被重畳文字Ｘの１文字１文字すべてが判読不能とはならない場合もある。すなわち、第１パターンの被重畳文字Ｘと第２パターンの重畳文字Ｙとの形状の類似性等によっては、第１パターンの被重畳文字Ｘが判読可能な場合がある。しかし、本考案の実施形態によれば、少なくとも、第１パターン全体の文字列としては判読不能になる程度に十分な効果が得られる。
【００８２】
この例では、特に、第１パターンの被重畳文字Ｘを特定しにくくする重畳文字Ｙが予め設定されているため、転写済インクリボン２１から個人情報である第１パターンを判読することが、より一層困難となる。
【００８３】
（例２）
第２パターンを生成する文字列生成手段として、第２パターン転写制御部１４に、重畳文字Ｙの集合を記憶している記憶部（図示せず）がある場合がある。重畳文字Ｙの集合は、例えば、平仮名、片仮名、漢字、アルファベット、アラビア数字、ローマ数字や記号等の、一部又はすべてを含む。
【００８４】
第２パターン転写制御部１４は、この記憶された重畳文字Ｙの集合からランダムに重畳文字Ｙを抽出し、カード基材２２の第１パターンが印刷される領域と対応する転写済インクリボン２１の転写枠の領域内に並べるようにして、第２パターンを生成する。第２パターン転写制御部１４は、この重畳文字Ｙを並べた文字列を、第２パターンの情報として、第２の熱源７ｂに送信する。
【００８５】
なお、対応する転写枠の領域内に並べるとは、第２パターン転写制御部１４には、上位装置からインターフェース部１５を介して第１パターンの情報が送信されたうえで、第１パターンの被重畳文字Ｘがある箇所と対応する箇所のみに重畳文字Ｙを並べるようにしても良いし、第１パターンの文字数やスペースの有無に関係無く、第１パターンが印刷される領域が予め定められ、その領域と対応する転写枠の領域内に隙間なく重畳文字Ｙを並べるようにしてもよい。
【００８６】
また、重畳文字Ｙの集合は、平仮名、片仮名、漢字、等のように、重畳文字の種類毎に分類して記憶されていてもよい。この場合、第２パターン転写制御部１４には、上位装置からインターフェース部１５を介して第１パターンの情報が送信されたうえで、第２パターン転写制御部１４は、第１パターンの各被重畳文字Ｘの種類を判別し、重畳文字Ｙの集合のうち対応する種類の分類からランダムに重畳文字Ｙを抽出し、カード基材２２の第１パターンが印刷される領域と対応する転写枠の領域内に並べるようにして、第２パターンを生成するようにしてもよい。
【００８７】
この例では、第１パターンの文字に対応したインク抜け跡上に重畳文字Ｙに対応したインク抜け跡が並べられるため、第１パターンの文字に対応したインク抜け跡がそのままの状態で転写済インクリボン２１に残ることがなく、転写済インクリボン２１から個人情報である第１パターンを判読することが、より一層困難となる。
【００８８】
（その他の例）
何れの文字列生成手段においても、ランダムに生成される文字列を、主に数字以外の文字である非数字文字群から構成される第１の領域と、主に数字である数字群から構成される第２の領域と、に大別して生成することができる。
【００８９】
例えば、取り扱うカード基材２２が図６（ａ）に示すような身分証明書になる場合、第１の熱源４が印刷する個人情報（第１パターン）は、氏名及び住所がカード基材２２の左上部分に、識別番号がカード基材２２の左下部分に、それぞれ配置されて構成される。
【００９０】
このとき、第２パターン転写制御部１４は、カード基材２２の左上部分である第１領域と対応する転写済インクリボン２１の転写枠の領域に対し、氏名や住所によく使われるような文字群から文字列を生成する。なお、氏名や住所によく使われるような文字群とは、例えば「鈴佐上の川ケ・・・」等の漢字、平仮名、片仮名等の文字群である。
【００９１】
同様にして、第２パターン転写制御部１４は、カード基材２２の左下部分である第２領域と対応する転写済インクリボン２１の転写枠の領域に対し、「０〜９」の数字から文字列を生成する。
【００９２】
（例１）の場合、対応表における分類を、非数字文字群に相当する「氏名や住所によく使われるような文字群」と数字群に相当する「数字」としておけばよい。また、（例２）の場合、重畳文字Ｙの集合における分類を、「氏名や住所によく使われるような文字群」と「数字」としておけばよい。
【００９３】
上述した図６（ａ）に示す身分証明書のように、カード基材２２毎に第１領域及び第２領域の配置が確定しているものであれば、第１領域と第２領域は毎回固定した上で、第２パターン転写制御部１４が、各領域と対応する転写枠の領域について文字列を生成すればよい。
【００９４】
一方、カード基材２２毎に、第１領域及び第２領域の配置が異なるものであれば、第２パターン転写制御部１４は、まず第１パターンの情報を取得し、取得した第１パターンの被重畳文字Ｘの種類（数字以外の文字か、数字か）を１文字毎に判断し、第１領域と第２領域とを区分した上で、各領域と対応する転写枠の領域について文字列を生成すればよい。
【００９５】
何れの場合も、第２パターン転写制御部１４は、生成した文字列を、第２パターンの情報として、第２の熱源７ｂに送信する。
【００９６】
この例では、非数字文字群から構成される第１の領域と対応する転写枠の領域に同類の文字が重畳文字Ｙとして並べられ、数字群から構成される第２の領域と対応する転写枠の領域に同類の文字が重畳文字Ｙとして並べられるため、第１パターンを類推することが難しく、転写済インクリボン２１から個人情報である第１パターンを判読することが、より一層困難となる。
【００９７】
さらに、何れの文字列生成手段においても、第２パターンのフォントやフォントサイズは、第１パターンに用いられるフォントと同じものを用いることにより、個人情報の判読困難性が一層高まる。
【００９８】
なお、何れの文字列生成手段においても、第２パターンをランダムに生成する主体は、第２パターン転写制御部１４でなく、図示しない上位装置であってもよい。
【００９９】
第２の実施形態に係る個人情報印刷機１によれば、転写済インクリボン２１のインク層２４に残留しているインクの一部を、さらに、第１パターンとは異なる、ランダムに生成された文字列からなる第２パターンで溶融させることで、転写済インクリボン２１のインク抜け跡が、第１パターンと第２パターンとが重なった迷彩模様の形状となる。よって、第三者が転写済インクリボン２１を入手したとしても、第１パターンと第２パターンとが重なった迷彩模様のインク抜け跡からは、個人情報である第１パターンを判読することが困難となる。
【０１００】
さらに、第２の実施形態に係る個人情報印刷機１において、第２の発熱体８ｂに印加される熱エネルギー量の調整によっては、一度の加熱及び押圧により、最外層だけでなく、その内側の層の転写済インクリボン２１に対しても、第２パターンの転写が同時に実行される。よって、カード基材１枚分の印刷枠と対応した、転写済インクリボン２１上の転写枠に対して、複数回、異なる第２パターンを転写したのと同じ効果が得られ、転写済インクリボン２１から個人情報である第１パターンを判読することが、より一層困難となる。
【０１０１】
さらに、第２パターンを生成する文字列生成手段を、（例１）、（例２）、（その他の例）に示したように工夫すれば、より確実に、第１パターンに対応したインク抜け跡を判読困難に乱すことができる。
【０１０２】
ここで、図６を参照して、第１及び第２の実施形態に係る個人情報印刷機１によりインク抜け跡が秘匿処理される様子を説明する。図６（ａ）は、インクリボン２１のインクが転写されたカード基材２２を示す図である。図６（ｂ）は、転写済のインクリボン２１を示す図である。図６（ｃ１）は、第１の実施形態に係る個人情報印刷機１により、インク抜け跡が秘匿処理された転写済のインクリボン２１を示す図である。図６（ｃ２）は、第２の実施形態に係る個人情報印刷機１により、インク抜け跡が秘匿処理された転写済のインクリボン２１を示す図である。
【０１０３】
図６（ａ）は、インクリボン２１のインク層２４にあるインクが、第１パターンで転写されたカード基材２２を示す図である。カード基材２２には、例えば「身分証明書」という文字等が予め印刷されている場合がある。また、点線で示した枠の領域には、例えば、個人情報の印刷処理の後か前に、顔写真が印刷される。この例では第１パターンは、「東山  太郎；神奈川県川崎市；東区山町１−１；０４４１０４８０４２」という文字列からなる。
【０１０４】
図６（ｂ）は、インクがカード基材２２に第１パターンで転写された後のインクリボン２１を、ベースフィルム２３側から見た場合を示す図である。転写済インクリボン２１のインク層２４のうち、インクが残留している箇所が黒く、転写されたインクの箇所であるインク抜け跡が白く示されている。このように、第１又は第２の実施形態に係る個人情報印刷機１による個人情報の秘匿処理を行っていない場合、転写済インクリボン２１のインク抜け跡を視認するだけで、カード基材２２に印刷された個人情報が容易に特定できてしまう。
【０１０５】
図６（ｃ１）は、第１の実施形態に係る個人情報印刷機１において、第ｎの転写済インクリボン２１のインク層２４ｎにあるインクの一部が、予め好適に設定された第２パターンで第ｎ―１の転写済インクリボン２１のベースフィルム２３ｎー１へ転写された後の第ｎの転写済インクリボン２１を、ベースフィルム２３ｎ側から見た場合を示す図である。
【０１０６】
具体的には、この例では第２パターンは、「西森江湖金山遠；中山朗府沼富町；浦本木市５４３２１；０１２３４５６７９」という文字列からなる。このように、第１パターンのインク抜け跡に、第１パターンと異なる文字列である第２パターンのインク抜け跡が重なることで、転写済インクリボン２１の第１パターンのインク抜け跡が判読困難となっている。
【０１０７】
図６（ｃ２）は、第２の実施形態に係る個人情報印刷機１において、第ｎの転写済インクリボン２１のインク層２４ｎにあるインクの一部が、ランダムに生成された第２パターンで第ｎ―１の転写済インクリボン２１のベースフィルム２３ｎー１へ転写された後の第ｎの転写済インクリボン２１を、ベースフィルム２３ｎ側から見た場合を示す図である。
【０１０８】
具体的には、この例では第２パターンは、「西丘  薔優；佐田森原森西恵；西六丘温４田４：７５５４７５２７５９」という文字列からなる。これは、第１パターンである「東山  太郎；神奈川県川崎市；東区山町１−１；０４４１０４８０４２」の文字一つ一つに対応して、例えば図５に示す対応表に基づいて、それぞれ異なる文字が並べられて生成されている。このように、第１パターンのインク抜け跡に、第１パターンと異なる文字列である第２パターンのインク抜け跡が重なることで、転写済インクリボン２１の第１パターンのインク抜け跡が判読困難となっている。
【０１０９】
（第３の実施形態）
さらに、図７及び図８を参照して、第３の実施形態に係る個人情報印刷機１のインクリボン２１のたるみ取り処理の仕組みについて説明する。第３の実施形態に係る個人情報印刷機１は、図１及び図４に示す地点Ａから地点Ｂまでの転写済インクリボン２１の長さを所定の長さに設定することで、第１パターンのインク抜け跡と第２パターンのインク抜け跡とがより確実に重なり合うよう制御できる。
【０１１０】
図７は、第３の実施形態に係る個人情報印刷機１のインクリボン２１のたるみ取り処理の一例を示すフローチャートである。図８（ａ）は、転写済のインクリボン２１を示す図である。図８（ｂ１）は、インク抜け跡が秘匿処理されきれていない転写済のインクリボン２１を示す図である。図８（ｂ２）は、第３の実施形態に係る個人情報印刷機１により、インク抜け跡が秘匿処理された転写済のインクリボン２１を示す図である。
【０１１１】
連続で複数のカード基材２２を処理して個人情報の印刷処理及び個人情報の秘匿処理を行うにあたり、第１の熱源４及び第２の熱源７は、それぞれ、加熱及び押圧の状態と、退避の状態と、を交互に繰り返す。
【０１１２】
第１の熱源４は、１枚のカード基材２２に対し個人情報の印刷処理を終えると、次の処理対象であるカード基材２２が所定の位置（図１及び図４中の地点Ａ）まで搬送されるまでの間、図１及び図４中矢印Ｄ１で示す方向へ退避する。
【０１１３】
また、第２の熱源７は、カード基材１枚分の印刷枠と対応した、転写済インクリボン２１上の転写枠に対し個人情報の秘匿処理を終えると、カード基材１枚分の印刷枠と対応した、転写済インクリボン２１上の次の処理対象である転写枠が所定の位置（図１及び図４中の地点Ｂ）まで搬送されるまでの間、図１及び図４中矢印Ｄ２で示す方向へ退避する。
【０１１４】
ここで、地点Ａは、第１の熱源４の第１の発熱体５がインクリボン２１と接する位置である。地点Ｂは、第２の熱源７の第２の発熱体８がインクリボン２１と接する位置である。
【０１１５】
第１の熱源４及び第２の熱源７の加熱及び押圧の状態と、退避の状態と、の繰り返しにより、複数のガイドローラ９に沿ったインクリボン２１には、たるみが生じる。インクリボン２１がたるんでいると、第１の熱源４による第１パターンの印刷が確実に行えない場合がある。このたるみをなくすため、第３の実施形態に係る個人情報印刷機１においてインクリボン巻取制御部１１は、巻取軸３を回転させ、たるんだインクリボン２１の長さに所定の長さであるαを加えた、巻取長さを巻き取る。
【０１１６】
図７に示すように、第３の実施形態に係る個人情報印刷機１は、カード基材１枚分に対する個人情報の印刷処理と、カード基材１枚分の印刷枠と対応した、転写済インクリボン２１上の転写枠に対する個人情報の秘匿処理と、を同じタイミングで開始し、終了する（ステップＳ１０１）。
【０１１７】
個人情報の印刷処理及び個人情報の秘匿処理を終了すると同時に、第１パターン転写制御部１３及び第２パターン転写制御部１４は、第１の熱源４を矢印Ｄ１で示す方向へ、第２の熱源７を矢印Ｄ２で示す方向へ、それぞれ退避させる（ステップＳ１０２）。
【０１１８】
続いて、インクリボン巻取制御部１１は、第１の熱源４及び第２の熱源７の退避に伴いたるんだインクリボン２１の長さ＋αである巻取長さを巻き取る、巻取処理を行う（ステップＳ１０３）。また、カード基材搬送制御部１２は、次の処理対象であるカード基材２２を、第１の熱源４及びローラ６が設置されている印刷位置まで、１枚搬送させる（ステップＳ１０４）。
【０１１９】
その後、第１パターン転写制御部１３及び第２パターン転写制御部１４は、それぞれ第１の熱源４を地点Ａへ、第２の熱源７を地点Ｂへ、戻す（ステップＳ１０５）。
【０１２０】
そして再び、次の処理対象であるカード基材２２に対する個人情報の印刷処理と、カード基材１枚分の印刷枠と対応した、転写済インクリボン２１上の次の処理対象である転写枠に対する個人情報の秘匿処理と、を開始する。以上を、繰り返し連続して行う。以上が、インクリボン２１のたるみ取り処理である。
【０１２１】
このとき、図８（ａ）に示す印刷のインク抜け跡のように、処理対象第ｍ番目（ｍ≧１の整数）のカード基材２２に対する個人情報の印刷処理と、第ｍ＋１番目のカード基材２２に対する個人情報の印刷処理が実行される間に、上記たるみ取り処理の巻取処理（ステップＳ１０３）が実行されるため、地点Ａから地点Ｂ間にある転写済インクリボン２１のカード基材１枚分の印刷枠と対応した、転写済インクリボン２１上の転写枠間には、隙間ｄ１ができる。
【０１２２】
同様にして、処理対象第ｍ−ｉ番目（１≦ｉ＜ｍの整数）のカード基材１枚分の印刷枠と対応した、転写済インクリボン２１上の転写枠に対する個人情報の秘匿処理と、第ｍｉ＋１番目のカード基材１枚分の印刷枠と対応した、転写済インクリボン２１上の転写枠に対する個人情報の秘匿処理が実行される間に、上記たるみ取り処理の巻取処理（ステップＳ１０３）が実行されるため、地点Ｂ以降にある、巻取軸３に巻き取られた転写済インクリボン２１の転写枠間には、隙間ｄ２ができる。
【０１２３】
ここでもし、個人情報の印刷処理の印刷枠間と対応した、転写済インクリボン２１上の転写枠間の隙間ｄ１と、個人情報の秘匿処理の転写枠間の隙間ｄ２と、にずれがあると、図８（ｂ１）に示すインク抜け跡のように、個人情報の一部のインク抜け跡がそのまま見えてしまうことになる。この例においては、ｄ１≠ｄ２であり、「西浦  花子；東京都港区；西浦町１−１−１；０５６１０２５９６３」という第１パターンのインク抜け跡のうち、各行の初めの数文字に該当する「西浦；東京都：西浦町；０５６１」というインク抜け跡に、第２パターンのインク抜け跡が完全に重なり合っていないため、転写済インクリボン２１に、「西浦；東京都：西浦町；０５６１」という文字がインク抜け跡として判読可能な状態で残ってしまう。すなわち、秘匿処理の漏れが生じてしまう。
【０１２４】
そこで、第３の実施形態の個人情報印刷機１は、地点Ａから地点Ｂまでの転写済インクリボン２１の長さであるＡＢ長さが、カード基材１枚分の印刷枠と対応したインクリボン２１の長さである印刷枠長さに、たるみ処理の巻取処理により巻き取られるインクリボン２１の長さである巻取長さを加えた長さである、第１の熱源４による印刷ピッチの整数倍となるように、複数のガイドローラ９に沿わせてインクリボン２１の搬送路を形成するようにする。これにより、個人情報の印刷処理の印刷枠間と対応した、転写済インクリボン２１上の転写枠間の隙間ｄ１と、個人情報の秘匿処理の転写枠間の隙間ｄ２と、が一致する。
【０１２５】
すなわち、第３の実施形態の個人情報印刷機１におけるたるみ取り処理によれば、図８（ｂ２）に示すインク抜け跡のように、ｄ１＝ｄ２となり、個人情報（第１パターン）のインク抜け跡の上に第２パターンのインク抜け跡が常に重なり合う。
【０１２６】
以上のようにして、第３の実施形態の個人情報印刷機１であれば、第１パターンのインク抜け跡と第２パターンのインク抜け跡とがより確実に重なり合うよう制御できるため、秘匿処理の漏れを防ぐことができる。その結果、個人情報の秘匿性をより高めることができる。
【０１２７】
（第４の実施形態）
さらに、図９を参照して、第４の実施形態に係る個人情報印刷機１のインクリボン２１の最終巻取処理の仕組みについて説明する。図９は、第４の実施形態に係る個人情報印刷機１のインクリボン２１の最終巻取処理の一例を示すフローチャートである。第４の実施形態に係る個人情報印刷機１は、インクリボン２１を交換する際に、転写済インクリボン２１のうち、第１パターンのインク抜け跡がそのままの状態で残っている箇所についても、確実に第２パターンが転写されるよう制御できる。
【０１２８】
連続で複数のカード基材２２を処理して個人情報の印刷処理及び個人情報の秘匿処理を一定枚数分行うと、第４の実施形態に係る個人情報印刷機１の送出軸２に巻きつけられたインクリボン２１の残量が減る。インクリボン２１の残量が減ってくると、送出軸２に巻きつけられたインクリボン２１により構成されるロール体の外径が小さくなり、巻取軸３に巻きつけられた転写済インクリボン２１により構成されるロール体の外径が大きくなる。
【０１２９】
例えば、インクリボン巻取制御部１１は、インクリボン２１上に予め記されたマーキング（図示せず）を、光学センサ（図示せず）で検出したり、送出軸２側のインクリボン２１により構成されるロール体の外径の状態を、エンコーダセンサ（図示せず）で検出するロール体の回転速度から算出したりすることにより、インクリボン２１の残量が所定値以下になったことを検出する。
【０１３０】
この状態になると、それ以降の、個人情報の印刷処理は停止するとともに、オペレータにインクリボン２１を新品と交換することを促すメッセージを、身分証明書発行機の画面（図示せず）等に表示する。
【０１３１】
このとき、地点Ａから地点Ｂまでの転写済インクリボン２１は、個人情報の秘匿処理はまだ実行されていないため、第１の熱源４により転写された第１パターンのインク抜け跡が残ったままの状態となる。このため、このインクリボン２１がこの状態のまま交換時に破棄されると、個人情報の印刷処理の停止時の、地点Ａから地点Ｂまでの転写済インクリボン２１に残ったインク抜け跡から、個人情報が判読可能となってしまう。すなわち、秘匿処理のし残しが生じてしまう。
【０１３２】
そこで、第４の実施形態に係る個人情報印刷機１は、インクリボン２１が所定値まで減ったら、インクリボン２１の交換を促す前に、地点Ａから地点Ｂまでの転写済インクリボン２１に対し、第１の熱源４による個人情報の印刷処理は停止させた状態で、第２の熱源７による個人情報の秘匿処理のみを実行し、巻取軸３に転写済インクリボン２１を巻き取らせる。これにより、地点Ａから地点Ｂまでの転写済インクリボン２１にある第１パターンのインク抜け跡の上にも、第２パターンのインク抜け跡が形成される。
【０１３３】
図９に示すように、インクリボン巻取制御部１１が、インクリボン２１の残量が所定値以下になったことを検出すると（ステップＳ２０１）、第１パターン転写制御部１３は、第１の熱源４を矢印Ｄ１で示す方向へ退避させる（ステップＳ２０２）。また、カード基材搬送制御部１２は、カード基材２２の搬送を停止させる（ステップＳ２０３）。
【０１３４】
一方、インクリボン巻取制御部１１は、個人情報の印刷処理停止時の地点Ａから地点Ｂまでの転写済インクリボン２１の長さであるＡＢ長さを巻き取る、巻取処理を行う（ステップＳ２０４）。この間、第２パターン転写制御部１４は、第２の熱源７及び第２の発熱体８を制御し、個人情報の印刷処理停止時の地点Ａから地点Ｂまでの転写済インクリボン２１に対し、第２パターンのインク抜け跡を形成する（ステップＳ２０５）。
【０１３５】
以上が、インクリボン２１の最終巻取処理である。
【０１３６】
以上のようにして、第４の実施形態の個人情報印刷機１であれば、印刷されたすべての個人情報（第１パターン）のインク抜け跡に対して個人情報の秘匿処理を実行するよう制御でき、秘匿処理のし残しを防ぐことができる。その結果、個人情報の秘匿性をより高めることができる。
【０１３７】
以上の第１乃至第４の実施形態の個人情報印刷機１によれば、転写済インクリボン２１のインク抜け跡を迷彩模様とし、個人情報が特定されることを効果的に防止できる。すなわち、転写済インクリボン２１のインク抜け跡から、カード基材２２に印刷された個人情報をより確実に判読困難とする。
【０１３８】
本考案のいくつかの実施形態を説明したが、これらの実施形態は、例として提示したものであり、考案の範囲を限定することは意図していない。これら実施形態は、その他の様々な形態で実施されることが可能であり、考案の要旨を逸脱しない範囲で、種々の省略、置き換え、変更を行うことができる。これら実施形態やその変形は、考案の範囲や要旨に含まれると同様に、実用新案登録請求の範囲に記載された考案とその均等の範囲に含まれるものである。
【符号の説明】
【０１３９】
１…個人情報印刷機
２…送出軸
３…巻取軸
４…第１の熱源
５…第１の発熱体
６…ローラ
７ａ、７ｂ…第２の熱源
８ａ、８ｂ…第２の発熱体
９…ガイドローラ
１０…制御部
２１…インクリボン、転写済インクリボン
２２…カード基材
２３（２３ｎ、２３ｎ―１等）…ベースフィルム
２４（２４ｎ、２４ｎ―１等）…インク層
【図１】
0003226357.tif 000003
【図２】
0003226357.tif 000004
【図３】
0003226357.tif 000005
【図４】
0003226357.tif 000006
【図５】
0003226357.tif 000007
【図６】
0003226357.tif 000008
【図７】
0003226357.tif 000009
【図８】
0003226357.tif 000010
【図９】
0003226357.tif 000011
【手続補正書】
【提出日】令和2年3月6日(2020.3.6)
【手続補正１】
【補正対象書類名】実用新案登録請求の範囲
【補正対象項目名】全文
【補正方法】変更
【補正の内容】
【実用新案登録請求の範囲】
【請求項１】
ベースフィルムとインク層とを有するインクリボンを用いてカード基材に前記インク層のインクを転写する個人情報印刷機であって、
前記インクリボンを送り出す送出軸と、
前記送出軸の下流側に、前記インクリボンのベースフィルム側から退避可能に設けられる第１の熱源であって、前記インクリボンを加熱及び押圧することで、前記インクリボンのインク層のインクを個人情報の文字列である第１パターンで前記カード基材に転写する第１の発熱体を有する第１の熱源と、
前記第１の熱源と対向するとともに前記インクリボンのインク層側に設けられ、前記カード基材を搬送するローラと、
前記第１の熱源及び前記ローラの下流側に設けられ、ベースフィルムが外側に位置するよう、転写済の前記インクリボンを巻き取る巻取軸と、
前記巻取軸に巻き取られた転写済の前記インクリボンのうち最外層にある第ｎの転写済インクリボン（ｎ≧２の整数）から退避可能に設けられる第２の熱源であって、前記第ｎの転写済インクリボンを加熱及び押圧することで、前記第ｎの転写済インクリボンのインク層のインクを、前記第１パターンとは異なる文字列である第２パターンで、前記第ｎの転写済インクリボンより内側に隣接する第ｎ−１の転写済インクリボンのベースフィルムに転写する第２の発熱体を有する第２の熱源と、を具備する個人情報印刷機。
【請求項２】
前記第２パターンは、
ランダムに生成される文字列である、
請求項１に記載の個人情報印刷機。
【請求項３】
前記第２パターンは、
数字文字群から構成される第１の領域と、数字群から構成される第２の領域と、を有し、
前記第２パターンがランダムに生成される際、
前記第１の領域には、数字文字群から構成される文字列がランダムに生成され、
前記第２の領域には、数字群から構成される文字列がランダムに生成される、
請求項２に記載の個人情報印刷機。
【請求項４】
前記第１パターンの文字毎に第２パターンの文字として割り当てる文字を予め設定した対応表を記憶する記憶部をさらに有し、
前記第２パターンがランダムに生成される際、前記対応表が参照され、
前記第１パターンの文字それぞれに割り当てられた文字が順に並べて生成される、請求項２又は請求項３に記載の個人情報印刷機。
【請求項５】
さらに、前記第２の発熱体からの熱により、
最外層からｋ層目にある第ｎ＋１−ｋの転写済インクリボン（２≦ｋ＜ｎの整数）のうちの少なくとも１層の転写済インクリボンのインク層のインクが、前記第２パターンで、前記第ｎ＋１−ｋの転写済インクリボンより内側に隣接する第ｎ−ｋの転写済インクリボンのベースフィルムに転写される、
請求項１乃至請求項４の何れか１項に記載の個人情報印刷機。
【請求項６】
さらに、前記インクリボンが前記第１の発熱体と接する位置から転写済の前記インクリボンが前記第２の発熱体と接する位置までの転写済の前記インクリボンの長さが、前記第１の熱源による印刷ピッチの整数倍である、
請求項１乃至請求項５の何れか１項に記載の個人情報印刷機。
【請求項７】
さらに、前記巻取軸は、
前記送出軸にあるインクリボンの残量が所定値以下になったために前記第１パターンの転写を停止した後、前記インクリボンが前記第１の発熱体と接する位置から転写済の前記インクリボンが前記第２の発熱体と接する位置までの転写済の前記インクリボンの長さ分、転写済の前記インクリボンを巻き取る、
請求項１乃至請求項６の何れか１項に記載の個人情報印刷機。